(57)【要約】【課題】  保護板部材の内側の球詰まりを防ぐことが可能な弾球遊技機の提供を目的とする。【解決手段】  本発明のパチンコ遊技機１０によれば、大入賞口１０３のうち左右方向の両端側に配置された上方壁部１４５により、大入賞口１０３の両端部及び回動扉１２０の両端部を上方から覆ったことにより、保護板部材１１０の内側への進入口が保護板部材１１０の内側に比べて狭くなる。これにより、保護板部材１１０の内側に進入した遊技球が大入賞口１０３の奥側に向かってスムーズに流れ、保護板部材１１０の内側における球詰まりを防ぐことが可能になる。しかも、保護板部材１１０には、上方壁部１４５と開放姿勢になった回動扉１２０の両端部との間に遊技球が入り込むことを防止する進入防止壁１１２が設けられているので、その上方壁部１４５と回動扉１２０との間に遊技球を挟み込む不具合の発生を防ぐことができる。【選択図】  図１５
2007061249.tif 000002
【特許請求の範囲】
【請求項１】
遊技板と、
前記遊技板の前方に間隔を開けて対向配置されたクリア部材と、
前記遊技板に形成されて、前方に向かって開放した入賞口と、
前記遊技板と前記クリア部材との間に配置されると共に前記入賞口の前方を覆う保護板部材と、
前記入賞口の下辺側に回動中心を有し、前記入賞口を閉じた閉塞姿勢と、前記保護板部材側に倒れて前記入賞口を開放した開放姿勢との間で回動可能であると共に、前記開放姿勢になったときに遊技球を前記入賞口に案内可能な回動扉と、
前記回動扉を前記閉塞姿勢と前記開放姿勢との間で回動させるための作動手段とを備えた弾球遊技機において、
前記入賞口のうち左右方向の少なくとも一端側に配置されて、前記入賞口の端部及び前記回動扉の端部を上方から覆う上方壁部と、前記保護板部材又は前記上方壁部に形成されて、前記上方壁部と前記開放姿勢になった前記回動扉の端部との間に遊技球が入り込むことを防止する進入防止部材とを設けたことを特徴とする弾球遊技機。
【請求項２】
前記上方壁部の上面は、前記入賞口から離れるに従って下るように傾斜したことを特徴とする請求項１に記載の弾球遊技機。
【請求項３】
前記進入防止部材は、前記保護板部材又は前記上方壁部の少なくとも一方から突出形成され、
前記回動扉には、前記開放姿勢で前記上方壁部と対向する位置に扉突部が設けられ、
前記扉突部と前記進入防止部材との間隔を遊技球の径より小さくしたことを特徴とする請求項１又は２に記載の弾球遊技機。
【請求項４】
前記扉突部には、前記回動扉の左右方向における中央側を向いて傾斜した傾斜面及び／又は前記入賞口を向いて傾斜した傾斜面が形成されたことを特徴とする請求項３に記載の弾球遊技機。
【請求項５】
前記進入防止部材は、前記回動扉の回動軌跡の外側に配置されたことを特徴とする請求項１乃至４の何れかに記載の弾球遊技機。
【請求項６】
前記進入防止部材のうち前記回動扉側の縁部を、前記回動扉の先端の回動軌跡と略同心の円弧形状にしたことを特徴とする請求項５に記載の弾球遊技機。
【請求項７】
前記回動扉を、前記開放姿勢で静止させるストッパー部を設け、その開放姿勢で前記回動扉の上面が前記入賞口に向かって下って傾斜するように構成したことを特徴とする請求項１乃至６の何れかに記載の弾球遊技機。
【請求項８】
前記入賞口の左右方向の両端部に配置されて、遊技球が前記入賞口に流入することを規制する１対の側方壁部を形成したことを特徴とする請求項１乃至７の何れかに記載の弾球遊技機。
【請求項９】
前記上方壁部は、前記側方壁部に一体形成されたことを特徴とする請求項８に記載の弾球遊技機。
【発明の詳細な説明】
【技術分野】
【０００１】
本発明は、入賞口を開閉するための回動扉を備えた弾球遊技機に関する。
【背景技術】
【０００２】
従来の弾球遊技機の一例として図１７に示したパチンコ遊技機１は、回動扉２によって開閉される大入賞口４の前方に保護板部材５を備えている。そして、この保護板部材５により、図１８に示したような回動扉２と前面ガラス６との間に遊技球を噛み込む不具合を防止していた（特許文献１参照）。
【特許文献１】特開平１１−２０６９７１号公報（段落［０００５］、第３図、第４図）
【発明の開示】
【発明が解決しようとする課題】
【０００３】
ところで、上記した従来のパチンコ遊技機１では、回動扉２が開いた状態で、一度に多量の遊技球が保護板部材５の内側に入り込み、そこから大入賞口４の奥側に遊技球が流れず、球詰まりを起こす事態が起こり得た。
【０００４】
本発明は、上記事情に鑑みてなされたもので、保護板部材の内側の球詰まりを防ぐことが可能な弾球遊技機の提供を目的とする。
【課題を解決するための手段】
【０００５】
上記目的を達成するためになされた請求項１の発明に係る弾球遊技機は、遊技板と、遊技板の前方に間隔を開けて対向配置されたクリア部材と、遊技板に形成されて、前方に向かって開放した入賞口と、遊技板とクリア部材との間に配置されると共に入賞口の前方を覆う保護板部材と、入賞口の下辺側に回動中心を有し、入賞口を閉じた閉塞姿勢と、保護板部材側に倒れて入賞口を開放した開放姿勢との間で回動可能であると共に、開放姿勢になったときに遊技球を入賞口に案内可能な回動扉と、回動扉を閉塞姿勢と開放姿勢との間で回動させるための作動手段とを備えた弾球遊技機において、入賞口のうち左右方向の少なくとも一端側に配置されて、入賞口の端部及び回動扉の端部を上方から覆う上方壁部と、保護板部材又は上方壁部に形成されて、上方壁部と開放姿勢になった回動扉の端部との間に遊技球が入り込むことを防止する進入防止部材とを設けたところに特徴を有する。
【０００６】
請求項２の発明は、請求項１に記載の弾球遊技機において、上方壁部の上面は、入賞口から離れるに従って下るように傾斜したところに特徴を有する。
【０００７】
請求項３の発明は、請求項１又は２に記載の弾球遊技機において、進入防止部材は、保護板部材又は上方壁部の少なくとも一方から突出形成され、回動扉には、開放姿勢で上方壁部と対向する位置に扉突部が設けられ、扉突部と進入防止部材との間隔を遊技球の径より小さくしたところに特徴を有する。
【０００８】
請求項４の発明は、請求項３に記載の弾球遊技機において、扉突部には、回動扉の左右方向における中央側を向いて傾斜した傾斜面及び／又は入賞口を向いて傾斜した傾斜面が形成されたところに特徴を有する。
【０００９】
請求項５の発明は、請求項１乃至４の何れかに記載の弾球遊技機において、進入防止部材は、回動扉の回動軌跡の外側に配置されたところに特徴を有する。
【００１０】
請求項６の発明は、請求項５に記載の弾球遊技機において、進入防止部材のうち回動扉側の縁部を、回動扉の先端の回動軌跡と略同心の円弧形状にしたところに特徴を有する。
【００１１】
請求項７の発明は、請求項１乃至６の何れかに記載の弾球遊技機において、回動扉を、開放姿勢で静止させるストッパー部を設け、その開放姿勢で回動扉の上面が入賞口に向かって下って傾斜するように構成したところに特徴を有する。
【００１２】
請求項８の発明は、請求項１乃至７の何れかに記載の弾球遊技機において、入賞口の左右方向の両端部に配置されて、遊技球が入賞口に流入することを規制する一対の側方壁部を形成したところに特徴を有する。
【００１３】
請求項９の発明は、請求項８に記載の弾球遊技機において、上方壁部は、側方壁部に一体形成されたところに特徴を有する。
【発明の効果】
【００１４】
［請求項１，５，６の発明］
請求項１の構成によれば、入賞口のうち左右方向の少なくとも一端側に配置された上方壁部により、入賞口の端部及び回動扉の端部を上方から覆ったことにより、保護板部材の内側への進入口が、保護板部材の内側に比べて狭くなる。これにより、保護板部材の内側に進入した遊技球が入賞口の奥側に向かってスムーズに流れ、保護板部材の内側における球詰まりを防ぐことが可能になる。しかも、保護板部材又は上方壁部には、上方壁部と開放姿勢になった回動扉の端部との間に、遊技球が入り込むことを防止する進入防止部材が設けられているので、その上方壁部と回動扉との間に遊技球を挟み込む不具合の発生を防ぐことができる。
【００１５】
ここで、進入防止部材は回動扉の回動軌跡の外側に配置する必要がある（請求項５の発明）。そして、進入防止部材と回動扉との互いの干渉を避けることを条件にして、それら進入防止部材と回動扉とをできるだけ接近させることが好ましい。そのためには、請求項６の構成のように、進入防止部材のうち回動扉側の縁部を、回動扉の先端の回動軌跡と略同心の円弧形状することが好ましい（請求項６の発明）。
【００１６】
［請求項２の発明］
請求項２の構成によれば、上方壁部の上面が、入賞口から離れるに従って下るように傾斜しているので、上方壁部の上面に乗った遊技球が、入賞口から遠ざけるように案内される。これにより、保護板部材の内側へ進入する遊技球の数を確実に抑えることができる。  
【００１７】
［請求項３の発明］
請求項３の構成によれば、回動扉には、開放姿勢で上方壁部と対向する位置に扉突部を設けたので、この扉突部によっても、上方壁部と回動扉との間に遊技球を挟み込む不具合の発生を防ぐことができる。また、扉突部と進入防止部材との間隔を遊技球の径より小さくしたので、扉突部と進入防止部材との間隔に遊技球が挟まることもない。
【００１８】
［請求項４の発明］
請求項４の構成では、扉突部に形成された傾斜面により、遊技球を回動扉の左右方向における中央側及び／又は入賞口側に案内することができる。
【００１９】
［請求項７の発明］
請求項７の構成によれば、ストッパーによって回動扉が開放姿勢に位置決めされ、その開放姿勢では、回動扉の上面が入賞口に向かって下って傾斜するので、遊技球がスムーズに入賞口の奥側に流れる。
【００２０】
［請求項８及び９の発明］
請求項８の構成によれば、一対の側方壁部によって入賞口の左右方向の両端部から入賞口に遊技球が流入することが規制される。この場合、上方壁部は側方壁部に一体形成してもよい（請求項９の発明）。
【発明を実施するための最良の形態】
【００２１】
本発明を適用したパチンコ遊技機１０（本発明の「弾球遊技機」に相当する）に係る一実施形態を、図１〜図１５に基づいて説明する。本実施形態のパチンコ遊技機１０は、例えば、遊技場の遊技島に取り付けられる枠体８０に遊技機本体８１を脱着可能に組み付けてなる。
【００２２】
枠体８０は、図４に示すように外枠８２に前面枠９０を回動可能に備えてなる。外枠８２は、４つの木製の長板８３を縦長矩形状に接合して構成されており、外枠８２のうち両側辺を構成する長板８３の下端部の間には、補強及び歪み防止用の前面板８４が差し渡され、その前面板８４の下縁部が、下辺を構成する長板８３に接合されている。
【００２３】
外枠８２のうち一方の側辺には、その上下の２箇所に、金属製のヒンジ片８５，８５が取り付けられている。また、外枠８２のうちヒンジ片８５と反対側の側辺を構成する長板８３には、その上端寄りと下端寄りの内面の２箇所に、一対の被係止部８６，８６が取り付けられている。なお、外枠８２のうちヒンジ片８５を備えた側の外側面には、図１に示すように、プリペイドカードユニット９９が取り付けられている。
【００２４】
前面枠９０は、図４に示すように外枠８２のうち前面板８４より上方部分に対応した矩形構造をなし、その上寄り部分には、遊技窓９０Ｗが貫通形成されている。前面枠９０の一方の側辺には、その上下の２箇所に、金属製のヒンジ片９１，９１が備えられ、これら各ヒンジ片９１と前記外枠８２に設けた各ヒンジ片８５とを重ねて、ヒンジピン９２を貫通させてある。これにより、前面枠９０が、外枠８２に対して開閉可能となる。また、前面枠９０のうちヒンジ片９１と反対側の側辺には、一対の係止爪９７，９７が上下に備えられ、この係止爪９７，９７を外枠８２の被係止部８６，８６に係止することで、前面枠９０が閉止状態に施錠される。
【００２５】
前面枠９０の後面からは遊技窓９０Ｗを囲むように囲壁９３が起立している。囲壁９３の内側には、後述する遊技板１１（図４を参照）が嵌め込まれて、囲壁９３に備えた複数の係止レバー９８にて前面枠９０に係脱可能に固定されている。なお、前面枠９０は、例えば、合成樹脂で構成されている。
【００２６】
図２に示すように、前面枠９０の前側にはガラス枠９５が重ねて備えられている。ガラス枠９５は、前面枠９０のうちヒンジ片９１側の側縁部に回動可能に取り付けられている。ガラス枠９５は、前面枠９０に備えた遊技窓９０Ｗより一回り小さな円形窓９５Ｗを備えて、そこにガラス板１５０（本発明の「クリア部材」に相当する）が嵌められている。そして、前面枠９０に固定された遊技板１１の前面とガラス板１５０とが、遊技球の直径（１１ｍｍ）より大きい所定の間隔を空けて対向配置され、遊技板１１の前面がガラス板１５０により前方から覆われている。そして、遊技者は、図１に示すように、パチンコ遊技機１０の前面側から円形窓９５Ｗ、ガラス板１５０、遊技窓９０Ｗを通して遊技板１１の前面に設けられた遊技領域Ｒ１を視認可能となっている。
【００２７】
図２に示すように、ガラス枠９５のうち円形窓９５Ｗの周縁部には前方に膨出した装飾ランプ９６が設けられ、その装飾ランプ９６のうち円形窓９５Ｗよりも上側部分には、左右に一対のスピーカ５９Ｓ，５９Ｓが内蔵されている。また、ガラス枠９５のうち円形窓９５Ｗの下方には、前方に向かって膨出した上皿２７Ａが設けられ、上皿２７Ａを挟むようにして左右に一対のスピーカ５９Ｓ，５９Ｓが設けられている。なお、上皿２７Ａには、賞球として払い出された遊技球が収容される。
【００２８】
ガラス枠９５の下方には、下皿ユニット５０が備えられている。下皿ユニット５０は横長構造をなし、ガラス枠９５と同様に前面枠９０に対して回動可能に取り付けられている。
【００２９】
下皿ユニット５０の前面中央には、前方に膨出した下皿２７Ｂが備えられ、下皿２７Ｂの左側方には、灰皿５１が設けられている。なお、下皿２７Ｂには、上皿２７Ａから移動した遊技球や、ファール球等が貯留される。
【００３０】
図２に示すように、下皿２７Ｂの右側方にはパチンコ遊技機１０の前方に突出した操作ノブ２８が備えられている。操作ノブ２８を把持して回動操作すると、発射装置７０（図２を参照）が駆動し、上皿２７Ａに収容された遊技球が遊技板１１の遊技領域Ｒ１（図１を参照）に向けて弾き出される。以上が枠体８０に関する説明である。
【００３１】
次に、遊技機本体８１について説明する。遊技機本体８１は、図４に示す遊技板１１に種々の部品を組み付けてなる遊技板側アッシと、同図に示す機構板７５に種々の部品を組み付けてなる機構板側アッシの２つのアッシよりなる。
【００３２】
まず、機構板側アッシについて説明すると、機構板７５は、合成樹脂で構成され、全体として遊技板１１より縦方向に長い矩形状をなす。機構板７５は、遊技板１１及び前面枠９０の後面側に重ねて取り付けられている。機構板７５の中央部には、図示しない矩形開口が貫通形成され、その矩形開口を覆うように筐体状の透明カバー７６が着脱可能に取り付けられている。なお、矩形開口の内側には、遊技板１１の後面に取り付けられた図示しない電機部品（例えば、回路基板等）が配置されて透明カバー７６で覆われている。
【００３３】
機構板７５のうち透明カバー７６より下方には、払出装置７２を制御する払出制御装置５９と電源装置５８とが横並びにして取り付けられている。また、図３に示すように、電源装置５８の下方には、発射装置７０が取り付けられている。
【００３４】
透明カバー７６より上側には、遊技球を貯留する遊技球タンク７５Ｔが設けられ、透明カバー７６の側方には遊技球を払い出すための払出装置７２が設けられている。遊技球タンク７５Ｔと払出装置７２との間は、遊技球誘導レール７５Ｒにより連絡されている。
【００３５】
遊技球タンク７５Ｔの側方には、図示しない外部電源から電力を受けるための受電基板７３が備えられている。受電基板７３は、サージ吸収素子等を備え、全体が樹脂製カバーによって覆われている。受電基板７３からは電源コード７４が延びており、この電源コードが、パチンコホールに備えられた外部電源（ＡＣ２４Ｖ電源）に接続されている。
【００３６】
機構板７５のうち払出装置７２が配された側の側部には、上下方向に一対のヒンジピン７１，７１が取り付けられ、これらヒンジピン７１，７１が、前面枠９０に固定されたヒンジ片７１Ａ，７１Ａに係合し、機構板７５が前面枠９０に対して回動可能に組み付けられている。以上が機構板側アッシの説明である。
【００３７】
次に遊技板側アッシについて説明する。図４に示すように、遊技板１１は木製の概矩形板材で構成されている。図１に示すように、遊技板１１の前面には、ガイドレール１２が取り付けられ、そのガイドレール１２で囲まれた円形の遊技領域Ｒ１を遊技球が流下可能となっている。遊技領域Ｒ１のほぼ中央部には表示装置１３が設けられ、表示装置１３の下方には、始動入賞部１４、大入賞口１０３（本発明の「入賞口」に相当する）及びアウト口１６が、上から順に間隔を開けて並べて設けられている。また、遊技領域Ｒ１のうち表示装置１３を挟んだ左右の両側には、上から順に、ランプ風車１７、始動ゲート１８及び風車１９が設けられている。また、大入賞口１０３を挟んだ左右の両側には、一対のサイド入賞部２０，２０が設けられている。さらに、これら入賞口等以外に、遊技領域Ｒ１には、図示しない複数の釘が起立している。
【００３８】
遊技板１１の所要の各部位について説明する。
サイド入賞部２０，２０は、所謂、ポケット構造をなし、遊技球が丁度１つ入球可能な大きさで上方に開口している。サイド入賞部２０，２０へ入球すると、その遊技球は遊技板１１の裏側に取り込まれ、代わりに所定数（例えば、５個）の賞球が上皿２７Ａに払い出される。
【００３９】
始動ゲート１８は、遊技球が潜って通過可能な門形構造をなし、通過した遊技球は始動ゲート１８に内蔵した検出スイッチによって検出される。そして、その検出信号に基づいて、表示装置１３にて普通図柄が変動表示される。
【００４０】
始動入賞部１４は、所謂、ポケット構造をなして上方に開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃで挟まれた開口は、遊技球が丁度１つ入る大きさになっている。所定条件が成立して遊技板１１の裏に設けたソレノイド（図示せず）が駆動されると、可動翼片１４Ｃ，１４Ｃが所定期間（例えば０．４秒）に亘って横に倒される（図１の状態）。すると、始動入賞部１４の近傍を流下する遊技球が可動翼片１４Ｃに受け止められて開口に案内され、始動入賞部１４に遊技球が入賞し易くなる。
【００４１】
始動入賞部１４に入賞した遊技球は始動入賞部１４内に設けた検出スイッチにより検出される。そして、例えば、１０個の遊技球が賞球として上皿２７Ａに払い出されると共に、表示装置１３にて特別図柄が変動表示される。
【００４２】
大入賞口１０３は、横長矩形状をなして前方に向かって開放しており、常には、回動扉１２０にて閉塞されている。そして、遊技が「大当たり状態」になると、遊技板１１の裏に備えた扉用ソレノイド１３４（本発明に係る「作動手段」に相当する）が駆動されて、回動扉１２０が大入賞口１０３の下辺側を中心に回動し、所定期間に亘って前側に倒れた開放姿勢となる（図９及び図１１の状態）。これにより、大入賞口１０３が開放されると共に、遊技球が遊技板１１の前方に張り出した回動扉１２０で受け止められて大入賞口１０３に入賞可能になる。
【００４３】
大入賞口１０３に入賞した遊技球は、大入賞口１０３内に設けた検出スイッチ１３２Ｃ（図８を参照）により検出され、１個の入賞につき、例えば、１５個の遊技球が賞球として払い出される。そして、所定条件が成立（例えば、回動扉１２０の開放時間が３０秒に達したか、又は、大入賞口１０３に遊技球が１０個入賞したか）すると、回動扉１２０が遊技板１１側に回動して閉塞姿勢となり、大入賞口１０３が塞がれて遊技球が入球不可能となる（図８及び図１０の状態）。
【００４４】
図８及び図９に示すように、本実施形態のパチンコ遊技機１０では、大入賞口１０３の前方で遊技板１１とガラス板１５０との間に、保護板部材１１０が備えられている。保護板部材１１０は、全体が透明な合成樹脂で構成され、大入賞口１０３及び回動扉１２０を前方から視認可能に覆っている。回動扉１２０は、保護板部材１１０の内側において開放姿勢と閉塞姿勢との間で回動し、保護板部材１１０の内側に進入した遊技球を受け止めて大入賞口１０３へ案内する。この保護板部材１１０により、開放姿勢となった回動扉１２０（図９を参照）の先端部とガラス板１５０との間に遊技球を噛み込む不具合が防止されている。なお、保護板部材１１０と開放姿勢における回動扉１２０の先端部との間隔は、例えば、遊技球の半径未満（例えば、１〜２ｍｍ）となっているので、開放姿勢となった回動扉１２０の先端部と保護板部材１１０との間に遊技球を噛み込むこともない。
【００４５】
また、保護板部材１１０は、ガラス板１５０と遊技板１１との間のうちガラス板１５０寄り位置に配置されている。具体的には、ガラス板１５０と保護板部材１１０の内面との間隔Ｓ１（図８を参照）は、遊技球の半径（５．５ｍｍ）未満になっている。これにより、ガラス板１５０と保護板部材１１０との間への遊技球の進入が防がれると共に、遊技球が保護板部材１１０の上に落下した場合でも、その遊技球の重心は保護板部材１１０の内面より遊技板１１側に位置するので、遊技球は確実に保護板部材１１０の内側に落下する。つまり、遊技球が保護板部材１１０に載ったまま停止することはない。
【００４６】
表示装置１３は、遊技板１１の中央部に貫通形成された開口部Ｋ１（図４を参照）に対し、遊技板１１の前面側から取り付けた枠形構造の装飾枠２３（図１を参照）と、遊技板１１の後面側から取り付けた図示しない液晶モジュール（詳細には、ＴＦＴ−ＬＣＤモジュール）とで構成されている。そして、図１に示すように、遊技者は装飾枠２３に形成された表示窓２３Ｗを介して液晶モジュールの表示画面２４を見ることができる。
【００４７】
ここで、表示画面２４は、特別図柄を表示する特別図柄表示領域２４Ａと普通図柄を表示する普通図柄表示領域２４Ｂとに区画されている。詳細には、図１に示すように、普通図柄表示領域２４Ｂは、表示画面２４の左下隅部分に設けられており、表示画面２４のその他の部分が特別図柄表示領域２４Ａとなっている。
【００４８】
普通図柄表示領域２４Ｂでは、例えば、「０」〜「９」の数字を表記した複数種類の普通図柄が表示され、通常は、所定の種類のものが停止表示されている。始動ゲート１８内に設けた検出スイッチが遊技球の通過を検出すると、例えば、普通図柄が所定期間に亘って変動表示された後で、所定の普通図柄が停止表示される。そして、停止表示された普通図柄が、所定の当たり図柄（例えば、奇数の図柄）であった場合に、始動入賞部１４に備えた可動翼片１４Ｃ，１４Ｃが横に倒される。なお、普通図柄表示領域２４Ｂで表示する普通図柄は、数字に限るものではなく、アルファベットや記号等でもよい。
【００４９】
一方、特別図柄表示領域２４Ａには、通常は３つの特別図柄１３Ａ，１３Ｂ，１３Ｃが、横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが、特別図柄表示領域２４Ａに停止表示されている。そして、始動入賞部１４に遊技球が入賞すると、各特別図柄１３Ａ，１３Ｂ，１３Ｃが、上下方向にスクロール表示され、所定時間後に、例えば、左特別図柄１３Ａ、右特別図柄１３Ｃ、中特別図柄１３Ｂの順で停止表示される。このとき、例えば、３つの特別図柄１３Ａ，１３Ｂ，１３Ｃが全て同じ図柄、即ち、ぞろ目になった場合に、遊技が「大当たり状態」になり、大入賞口１０３が開放されて遊技球が入賞可能となる。
【００５０】
なお、特別図柄表示部２４Ａにおいて特別図柄１３Ａ，１３Ｂ，１３Ｃが変動表示中又は、遊技が「大当たり状態」中である場合に、始動入賞部１４に入賞したときには、その入賞に基づく特別図柄１３Ａ，１３Ｂ，１３Ｃの変動表示はすぐには開始されず、一時的に保留される。そして、特別図柄１３Ａ，１３Ｂ，１３Ｃが停止表示したか、「大当たり状態」が終了した後で、保留された分の変動表示が開始される。なお、本実施形態では保留回数は最大で４回となっている。以上が、遊技板側アッシの全体構成に関する説明である。
【００５１】
ところで、本実施形態のパチンコ遊技機１０では、大入賞口１０３を有する大入賞装置１００に本発明が適用されている。図５には大入賞装置１００の全体が示されており、同図に示すように大入賞装置１００は入賞装置本体１３０と大入賞装置用の前面ユニット１０１とを前後に組み付けてなる。大入賞装置１００は、遊技板１１の下側部分に貫通形成された開口部Ｋ２（図４を参照）に対し遊技板１１の前面側から嵌め込まれて、前面ユニット１０１を遊技板１１の前面に固定してある。
【００５２】
前面ユニット１０１は、図６に示すように横長の敷設板１０１Ｆを主要部として備える。敷設板１０１Ｆは、遊技の演出内容に応じたデザイン形状をなしており、前面には所定のデザインの凹凸模様が形成されている。また、敷設板１０１Ｆの周縁部の複数箇所には大入賞装置１００を遊技板１１の前面に固定するための螺子孔１０２が貫通形成されている。即ち、大入賞装置１００は、敷設板１０１Ｆの周縁部を遊技板１１の前面に敷設した状態で螺子止めされている。なお、敷設板１０１Ｆの後面の所定部位には、位置決めピン１０４が形成されている。
【００５３】
図６に示すように、敷設板１０１Ｆの左右方向（長手方向）における中央部には、大入賞口１０３が貫通形成され、左右両端部には、同一構造のサイド入賞部２０，２０が一体形成されている。
【００５４】
図７には、サイド入賞部２０の側断面構造が示されている。サイド入賞部２０は、敷設板１０１Ｆの前面側に突出して上方に開放したポケット構造体２０Ｂを備える一方、敷設板１０１Ｆの後面でポケット構造体２０Ｂの後側には、断面「Ｕ」字構造をなした誘導樋２０Ｅが形成されている。ポケット構造体２０Ｂの上部開口２０Ａは矩形状をなし、遊技球が丁度１つだけ通過可能な大きさとなっている。また、ポケット構造体２０Ｂの内部には、遊技球の通過を検出する検出センサ２０Ｄが備えられている。
【００５５】
ポケット構造体２０Ｂと誘導樋２０Ｅは敷設板１０１Ｆを貫通した連通口２０Ｆにより、ポケット構造体２０Ｂの底部で連通しており、ポケット構造体２０Ｂに入球した遊技球は、誘導樋２０Ｅにより遊技板１１の後側に誘導され排出される。ここで、ポケット構造体２０Ｂの内部底面には、連通口２０Ｆに向かって下るように傾斜した誘導突条２０Ｔが形成されているので、サイド入賞部２０に入賞した遊技球は誘導突条２０Ｔに衝突することで連通口２０Ｆに向かって転がされる。また、誘導樋２０Ｅの内部底面は後方に向かって下るように傾斜している。これにより、ポケット構造体２０Ｂの上部開口２０Ａからサイド入賞部２０に入賞した遊技球は、内部で球詰まりすることなくスムーズに遊技板１１の後側に排出される。なお、誘導樋２０Ｅから排出された遊技球は、遊技板１１の後面側に備えられた図示しない球回収ダクトを経由して遊技場側に回収される。
【００５６】
大入賞装置１００のうち入賞装置本体１３０は、前面ユニット１０１の後面中央部に固定されて大入賞口１０３に対向配置されている。入賞装置本体１３０は、例えば、透明な合成樹脂（具体的には、ポリカーボネート）で構成された球通過構造体１３０Ａに、扉用ソレノイド１３４及び回路基板１３３Ａを組み付けてなる。
【００５７】
回路基板１３３Ａは、球通過構造体１３０Ａの後端部に取り付けられている。回路基板１３３Ａの前面には複数（例えば２つ）のＬＥＤ１３３Ｂ，１３３Ｂが実装され、それらが球通過構造体１３０Ａの後面に対向配置されている。そして、ＬＥＤ１３３Ｂ，１３３Ｂが点灯すると、その光は、大入賞口１０３及び透明な球通過構造体１３０Ａを通して前方（遊技者側）から視認可能となっている。なお、回路基板１３３Ａの後面には、複数のコネクタ１３３Ｃが設けられている。
【００５８】
図５に示すように、扉用ソレノイド１３４は、球通過構造体１３０Ａの一側部（図５における右側部）に取り付けられている。扉用ソレノイド１３４は、略直方体形状の金属ケース１３４Ｅの内部に励磁用コイル１３４Ａを収容してなり、球通過構造体１３０Ａに備えた固定金具１３４Ｄに金属ケース１３４Ｅを螺子止めすることで、球通過構造体１３０Ａ取り付けられている。
【００５９】
励磁用コイル１３４Ａの中心には、所定のストロークで前後方向に直動するプランジャ１３４Ｂが挿入されており、そのプランジャ１３４Ｂのうち励磁用コイル１３４Ａから突出した先端部には、側方に張り出したフランジ部（図示せず）が形成されている。そしてプランジャ１３４Ｂの外側に巻回された金属製の圧縮コイルバネ１３４Ｃが、前記フランジ部と金属ケース１３４Ｅの前端面との間に挟まれている。
【００６０】
球通過構造体１３０Ａは以下のようである。球通過構造体１３０Ａは、高さ寸法に対して幅寸法が長い扁平構造をなしている。球通過構造体１３０Ａの内部には、大入賞口１０３に入賞した遊技球が通過可能な球通路１３２Ａが形成されている。球通路１３２Ａは前方に開放して大入賞口１０３と連通する一方、後方（奥側）に向かうに従って幅狭となり、後端部には下方に開放した球排出口１３２Ｂが形成されている。図５に示すように、球排出口１３２Ｂは大入賞口１０３の左右方向における一方側（図５における右側）に偏在しており、遊技球が１つだけ通過可能な大きさとなっている。また、図８に示すように、球排出口１３２Ｂの内側には遊技球を検出する検出スイッチ１３２Ｃが備えられている。なお、図５に示すように、球通路１３２Ａのうち大入賞口１０３側を向いた奥壁１３２Ｆは、球排出口１３２Ｂに向かって斜めに傾斜しており、図８に示すように、球通路１３２Ａの底面１３２Ｄは球排出口１３２Ｂに向かって下るように傾斜している。これにより、球通路１３２Ａに入り込んだ遊技球をスムーズに後側に誘導して球排出口１３２Ｂから排出することができる。ここで、球排出口１３２Ｂから入賞装置本体１３０の外部に排出された遊技球は、図示しない球回収ダクトを介して遊技場側に回収される。
【００６１】
球通過構造体１３０Ａのうち、大入賞口１０３に対向した前端開口部１３２Ｅには、回動扉１２０が回動可能に備えられている。回動扉１２０は、例えば、透明な合成樹脂で形成され、大入賞口１０３と略同一形状をした横長矩形の長板部１２３と、その長手方向の両端部に一体形成された側板部１２１，１２１とから構成されている。また、長板部１２３のうち、回動扉１２０が閉塞姿勢となったときに前方を向く外面１２３Ｇには、例えば、演出用の図柄が印刷された不透明なシールＳＬが貼り付けられている（図１０を参照）。
【００６２】
図１２に示すように、回動扉１２０のうち、側板部１２１，１２１の下端部からはアーム１２１Ａが延設されている。図１０に示すように、アーム１２１Ａには、球通過構造体１３０Ａに水平に固定された軸体１３１，１３１が貫通しており、これら両軸体１３１，１３１により回動扉１２０が回動可能に軸支されている。
【００６３】
図１１に示すように、回動扉１２０に備えた両側板部１２１，１２１のうち、一方の側板部１２１（例えば右側の側板部１２１）には、回動扉１２０を開放姿勢で静止させるストッパー部１２０Ｓが一体に形成されている。ストッパー部１２０Ｓは、側板部１２１から側方に突出しており、回動扉１２０が閉塞姿勢から前側に所定角度（例えば、約５０度）倒れたときに、大入賞口１０３の開口縁に当接するようになっている。これにより、回動扉１２０が開放姿勢となったときに、長板部１２３の内面１２３Ｎが上方を向きかつ大入賞口１０３に向かって下るように傾斜した姿勢に保持される。そして、長板部１２３の内面１２３Ｎに落下した遊技球は、その傾斜によって大入賞口１０３の奥側（球通路１３２Ａ）に向かってスムーズに流れる。
【００６４】
側板部１２１，１２１のうち長板部１２３の内面１２３Ｎ側に突出した部分は、本発明の扉突部１２１Ｃとなっている。扉突部１２１Ｃは、図１１に示すように長板部１２３の内面１２３Ｎに対して直角に起立している。扉突部１２１Ｃの上縁部には、回動扉１２０の左右方向における中央側を向いて傾斜した傾斜面１２１Ｄが形成されている。この傾斜面１２１Ｄは、回動扉１２０が開放姿勢となったときには、大入賞口１０３に向かって下るように傾斜する。この傾斜面１２１Ｄにより、開放姿勢の回動扉１２０上に落下した遊技球を、回動扉１２０の左右方向における中央側及び大入賞口１０３側に案内することができる。
【００６５】
回動扉１２０は、上記した扉用ソレノイド１３４により閉塞姿勢と開放姿勢との間を回動する。即ち、扉用ソレノイド１３４に備えた励磁用コイル１３４Ａに通電されると、プランジャ１３４Ｂが励磁用コイル１３４Ａに吸引されて圧縮コイルバネ１３４Ｃを押し縮めながら後側へ移動する。プランジャ１３４Ｂの直線運動は、プランジャ１３４Ｂに連結された図示しない運動変換機構により回転運動に変換され、大入賞口１０３を開閉する回動扉１２０に伝達される。すると、回動扉１２０は、軸体１３１，１３１を中心にして回動して開放姿勢となり大入賞口１０３が開放される（図９及び図１１の状態）。また、回路基板１３３Ａに実装されたＬＥＤ１３３Ｂの光が、保護板部材１１０、開放された大入賞口１０３及びその奥側の球通過構造体１３０Ａを通して遊技者から視認可能となる。
【００６６】
一方、励磁用コイル１３４Ａへの通電が停止されると、圧縮コイルバネ１３４Ｃの弾発力によりプランジャ１３４Ｂが励磁用コイル１３４Ａから離れる方向、即ち、前側へ移動する。プランジャ１３４Ｂの直線運動は運動変換機構（図示せず）により回転運動に変換されて、回動扉１２０に伝達される。すると、回動扉１２０は軸体１３１，１３１を中心に回動して閉塞姿勢となり、大入賞口１０３が塞がれる（図８及び図１０の状態）。このとき、回動扉１２０の長板部１２３は大入賞口１０３の内側に退避し（図８を参照）、大入賞口１０３の前側を流下する遊技球と接触しないようになっている。また、ＬＥＤ１３３Ｂの光は長板部１２３に貼り付けられたシールＳＬによって遮られ、遊技者から視認不可能となる。
【００６７】
大入賞口１０３の前方に設けられた保護板部材１１０は、図１４に示すように、横長の平板形状をなしている。詳細には、保護板部材１１０の上辺１１０Ｊ中央部と下辺１１０Ｋは、互いに平行かつ水平に延びておおり、上辺１１０Ｊ中央部には、後面（大入賞口１０３との対向面）側に向かって下るように傾斜したテーパー面１１４が形成されている。また、上辺１１０Ｊの両端部は、側方に向かって斜めに下っており、両側辺１１０Ｓ，１１０Ｓは下方に向かうに従って互いに近づくように傾斜しかつ緩やかに湾曲している。
【００６８】
保護板部材１１０の前面、即ち、パチンコ遊技機１０の前方を向いた面の周縁部には、所定のデザインの凹凸模様が形成されている。また中央部は滑らかな平坦面となっておりここを通して大入賞口１０３及び回動扉１２０を視認可能となっている。
【００６９】
一方、保護板部材１１０の後面、即ち、大入賞口１０３との対向面の左右方向の両端部には、保護板部材１１０を固定するための固定支柱１１１，１１１が一体形成されている。固定支柱１１１は円筒構造をなし保護板部材１１０に対して直角に起立している。また、固定支柱１１１の先端内周面には雌ネジが形成されている。
【００７０】
保護板部材１１０の後面で、固定支柱１１１，１１１より左右方向の中央側部分には一対の進入防止壁１１２，１１２（本発明の「進入防止部材」に相当する）が突出形成されている。これら進入防止壁１１２は保護板部材１１０の後面に対して直角に起立している。また、進入防止壁１１２の上縁部１１２Ｂは保護板部材１１０に対して直角であり、下縁部１１２Ａは保護板部材１１０に対して斜めになっている。また、保護板部材１１０の両端部側で進入防止壁１１２より上方には突起部１１３，１１３が突出形成されている。  
【００７１】
保護板部材１１０と大入賞口１０３との間には、一対の側方壁部１４０，１４０が設けられている。図１０に示すように、側方壁部１４０，１４０は、前面ユニット１０１のうち大入賞口１０３の左右方向の両端部に設けられ、敷設板１０１Ｆの前面から前方へ突出している。そして、この側方壁部１４０，１４０の前面１４０Ｚ同士の間に保護板部材１１０が差し渡されている。ここで、側方壁部１４０，１４０は、大入賞口１０３の左右方向の両端部から遊技球が流入することを規制している。
【００７２】
側方壁部１４０のうち、大入賞口１０３を挟んで対向した鉛直面１４０Ｔは遊技板１１面に対して直角で互いに平行な平坦面をなし、前面１４０Ｚは、遊技板１１面と平行な平坦面をなしている。また、側方壁部１４０のうち鉛直面１４０Ｔと反対側の外向面１４０Ｓは、下方に向かうに従って互いに近づくように傾斜しており、上面１４０Ｊは、大入賞口１０３から離れるに従って下るように傾斜している。
【００７３】
さらに図１０に示すように、側方壁部１４０，１４０の上端部には、所謂、庇形の上方壁部１４５，１４５が一体形成されている。即ち、上方壁部１４５は、側方壁部１４０の上端部から互いに接近するように（換言すれば、大入賞口１０３の左右方向の中央部に向かって）延びた上壁１４６と、上壁１４６の先端部から鉛直下方に延びて大入賞口１０３の上縁に達した鉛直壁１４７とから構成される。上方壁部１４５，１４５の鉛直壁１４７同士の間隔は、大入賞口１０３の左右方向の幅寸法（側方壁部１４０，１４０の鉛直面１４０Ｔ同士の間隔）よりも狭くなっている。具体的には、大入賞口１０３の幅寸法が約６９ｍｍであるのに対し、鉛直壁１４７同士の間隔は約５４ｍｍとなっている。そして、これら上方壁部１４５は、大入賞口１０３の両端部を上方から覆うと共に、回動扉１２０の両側板部１２１を上方から覆っている（図１１を参照）。また、上方壁部１４５の上面１４５Ｊは、大入賞口１０３から離れるに従って下るように傾斜しており、側方壁部１４０の上面１４０Ｊと面一でかつ略同一勾配となっている。従って、上方壁部１４５の上面１４５Ｊに落下した遊技球は、その傾斜によって大入賞口１０３から離れる側に向かって転がり、側方壁部１４０の上面１４０Ｊを通って大入賞口１０３の側方に流下する。このような構成とすることで、上方壁部１４５を設けない場合と比較して、側方壁部１４０，１４０の間、即ち、保護板部材１１０の内側に流入する遊技球の数が抑えられている。
【００７４】
ここで、保護板部材１１０は以下のようにして側方壁部１４０，１４０に固定されている。即ち、保護板部材１１０の固定支柱１１１，１１１を側方壁部１４０，１４０の前面１４０Ｚに開放した円形孔１４１，１４１に挿入して保護板部材１１０の後面を側方壁部１４０，１４０の前面１４０Ｚ，１４０Ｚに宛がい、この状態で、前面ユニット１０１の後面側から敷設板１０１Ｆを貫通した螺子（図示せず）を固定支柱１１１，１１１の先端部に螺合することで、保護板部材１１０は側方壁部１４０の前面１４０Ｚ同士の間に差し渡されている。このとき、保護板部材１１０の後面に形成された一対の突起部１１３，１１３が、上方壁部１４５，１４５の上壁１４６及び鉛直壁１４７とで囲まれた空間１４５Ｋ，１４５Ｋ（図１０を参照）に突入する。
【００７５】
さて、保護板部材１１０を側方壁部１４０，１４０に取り付けた状態では、進入防止壁１２０と回動扉１２０及び上方壁部１４５の位置関係が以下のようになっている。即ち、図６に示すように、進入防止壁１１２は上方壁部１４５の鉛直壁１４７の真下に配置され、また、図８及び図９に示すように、大入賞口１０３に向かって突出する。また、鉛直壁１４７の厚さ方向の両側面と進入防止壁１１２の厚さ方向の両側面が面一となる。また、進入防止壁１１２は回動扉１２０の扉突部１２１Ｃよりも大入賞口１０３の左右方向の中央側に配置され、進入防止壁１１２と扉突部１２１Ｃとの間隔Ｓ２（図６を参照）は、遊技球の直径（１１ｍｍ）よりも小さくなっている。従って、進入防止壁１１２と扉突部１２１Ｃとの間に遊技球が挟まることはない。さらに、進入防止壁１１２は、図１３に示すように、回動扉１２０の回動範囲の外側に配置される。具体的には、進入防止壁１１２のうち、回動扉１２０側を向いた下縁部１１２Ａは、回動扉１２０の先端が閉塞姿勢と開放姿勢との間で回動する際に描く回動軌跡Ｑ１と同心でかつ、回動扉１２０の回動軌跡Ｑ１よりも径が若干大きい円弧形状となっている。このような構成により、進入防止壁１１２と回動扉１２０との互いの干渉を避けつつそれら進入防止壁１１２と回動扉１２０とをできるだけ接近させることができる。また、開放姿勢において進入防止壁１１２側を向いた扉突部１２１Ｃの縁部と進入防止壁１１２の下縁部１１２Ａとの間隔は、最大でも遊技球の径（１１ｍｍ）より小さいので、扉突部１２１Ｃと進入防止壁１１２との間に遊技球が入り込むことはない。
【００７６】
本実施形態のパチンコ遊技機１０の構成は以上であり、次に動作について説明する。
遊技者が操作ノブ２８を操作すると、遊技球が遊技板１１の遊技領域Ｒ１における上方部分に弾き出される。遊技球は、遊技領域Ｒ１に備えられた役物（ランプ風車１７、風車１９、表示装置１３等）や障害釘等に当たって向きを変えられ、ランダムな経路を通って遊技領域Ｒ１の下方に向かう。
【００７７】
遊技球が遊技領域Ｒ１を流下する途中で始動ゲート１８を通過すると、表示画面２４の普通図柄表示領域２４Ｂにおいて普通図柄の変動表示が開始される。普通図柄は所定時間に亘って変動表示された後で停止表示する。そして、普通図柄が奇数で停止表示すると、始動入賞部１４に備えた可動翼片１４Ｃ，１４Ｃが横に倒れる。すると、遊技領域Ｒ１を流下する遊技球の一部が可動翼片１４Ｃ，１４Ｃに受け止められて始動入賞部１４の開口に案内される。つまり、通常時に比較して始動入賞部１４に遊技球が入球し易くなる。
【００７８】
始動入賞部１４に入球すると、その遊技球は遊技板１１の裏側に取り込まれ、代わりに例えば、１０個の遊技球が上皿２７Ａに払い出されると共に、表示画面２４の特別図柄表示領域２４Ａにおいて、特別図柄１３Ａ，１３Ｂ，１３Ｃのスクロール表示が開始される。
【００７９】
特別図柄１３Ａ，１３Ｂ，１３Ｃは所定時間に亘ってスクロール表示された後で、１つずつ順次に停止表示される。そして、停止表示された３つの特別図柄１３Ａ，１３Ｂ，１３Ｃが全て同じ（ぞろ目）になると、大入賞装置１００に備えた回動扉１２０が所定期間に亘って開放姿勢に保持され大入賞口１５が開放する。そして、このとき保護板部材１１０の内側に進入した遊技球が、開放姿勢となった回動扉１２０で受け止められて大入賞口１０３に案内される。大入賞口１０３に遊技球が入球すると、その遊技球は遊技板１１の裏側に取り込まれ、代わりに１５個の賞球が上皿２７Ａに払い出される。
【００８０】
ここで、開放姿勢において回動扉１２０は、遊技球を受け止める長板部１２３の内面１２３Ｎが大入賞口１０３に向かって下るように傾斜した姿勢で保持されるので、受け止めた遊技球をスムーズに大入賞口１０３の奥側（球通路１３２Ａ）に案内することができる。
【００８１】
さて、遊技領域Ｒ１を流下する遊技球の一部は、側方壁部１４０又は上方壁部１４５に衝突して、保護板部材１１０の内側に流入することなく下方に流下する。具体的には、図１５に示すように、側方壁部１４０の上面１４０Ｊに落下した遊技球は、上面１４０Ｊの傾斜により大入賞口１０３から遠ざかるように転がって、側方壁部１４０の側方に向かって流下する。また、上方壁部１４５の上面１４５Ｊに落下した遊技球も、上面１４５Ｊの傾斜により大入賞口１０３から遠ざかるように転がり側方壁部１４０の上面１４０Ｊを通って、側方壁部１４０の側方に向かって流下する。これにより、保護板部材１１０の内側に進入する遊技球の数を確実に抑えることができる。なお、図１５では、説明の便宜のため、保護板部材１１０を破線で示してある。
【００８２】
ここで、図１５に示すように、上方壁部１４５は大入賞口１０３の両端部及び回動扉１２０の両端部を上方から覆っておいるので、保護板部材１１０の内側への進入口（保護板部材１１０、上方壁部１４５，１４５、敷設板１０１Ｆで囲まれ、上方に開放した横長の矩形開口）が、保護板部材１１０の内側（保護板部材１１０及び側方壁部１４０，１４０で囲まれた部分）に対して狭められている。これにより、上方壁部１４５を設けない場合に比較して保護板部材１１０の内側に流入する遊技球の数が抑えられ、保護板部材１１０の内側に余裕ができる。これにより、保護板部材１１０の内側に進入した遊技球がスムーズに大入賞口１０３の奥側へ流れるようになる。
【００８３】
ところで、回動扉１２０に受け止められた遊技球の多くは、落下した位置からそのまま大入賞口１０３に向かって転がるが、中には、例えば、他の遊技球と衝突して回動扉１２０の左右方向における端部側へ転がるものがある。ここで、回動扉１２０が開放姿勢のときに回動扉１２０の端部側へ転がった遊技球は、回動扉１２０の両端部と上方壁部１４５との間に配置された進入防止壁１１２或いは、上方壁部１４５と対向した扉突部１２１Ｃの何れかに干渉する。これにより、上方壁部１４５と開放姿勢になった回動扉１２０の端部との間に遊技球が入り込むことはない。
【００８４】
このように、本実施形態のパチンコ遊技機１０によれば、大入賞口１０３のうち左右方向の両端側に配置された上方壁部１４５により、大入賞口１０３の両端部及び回動扉１２０の両端部を上方から覆ったことにより、保護板部材１１０の内側への進入口が保護板部材１１０の内側に比べて狭くなる。これにより、保護板部材１１０の内側に進入した遊技球が大入賞口１０３の奥側に向かってスムーズに流れ、保護板部材１１０の内側における球詰まりを防ぐことが可能になる。しかも、保護板部材１１０には、上方壁部１４５と開放姿勢になった回動扉１２０の両端部との間に遊技球が入り込むことを防止する進入防止壁１１２が設けられているので、その上方壁部１４５と回動扉１２０との間に遊技球を挟み込む不具合の発生を防ぐことができる。
【００８５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８６】
（１）前記実施形態では、パチンコ遊技機１０に本発明を適用していたが、弾球遊技機であれば、アレンジボール等に備えてもよい。
【００８７】
（２）前記実施形態では、進入防止壁１１２を保護板部材１１０の両端部に設けたが、図１６に示すように、左右の何れか一端部（例えば、右端部）のみに設けてもよい。ここで、回動扉１２０が開放姿勢の場合に、進入防止壁１１２が設けられていない側の端部（図１６における左端部）では、扉突部１２１Ｃと上方壁部１４５とが対向しているので、開放姿勢における回動扉１２０の端部と上方壁部１４５との間に遊技球が挟み込まれることが防止される。
【００８８】
（３）前記実施形態では、進入防止壁１１２を保護板部材１１０に一体形成していたが、上方壁部１４５に一体形成してもよい。具体的には、鉛直壁１４７から下方に延設すればよい。
【００８９】
（４）前記実施形態では、進入防止壁１１２は保護板部材１１０に一体形成されていたが、進入防止壁を独立した部品として、保護板部材１１０又は上方壁部１４５に例えば螺子止め或いは接着剤などで固定してもよい。
【００９０】
（５）前記実施形態では、上方壁部１４５を大入賞口１０３の両端部に設けたが、左右の何れか一端部側だけに設けてもよい。
【００９１】
（６）前記実施形態では、上方壁部１４５を側方壁部１４０に一体形成していたが、上方壁部１４５のみを大入賞口１０３の端部上方に設けてもよい。
【００９２】
（７）前記実施形態では、クリア部材をガラス板１５０としていたが、遊技領域Ｒ１を視認可能な部材であれば、透明な合成樹脂板（例えば、アクリル板）でもよい。
【００９３】
（８）前記実施形態では、回動扉１２０を開放姿勢で静止させるストッパー部１２０Ｓを一方の側板部１２１だけに設けていたが、両方の側板部１２１，１２１に設けてもよい。また、開放姿勢において側板部１２１，１２１が大入賞口１０３の下辺部に当接して回動扉１２０を開放姿勢で静止させるようにしてもよい。この場合、側板部１２１，１２１が本発明のストッパー部となる。さらに、ストッパー部１２０Ｓと側板部１２１，１２１の両方で回動扉１２０を静止させるようにしてもよい。
【００９４】
（９）前面ユニット１０１に形成された上方壁部１４５の側方壁部１４０からの張り出し量を調節して上方壁部１４５，１４５間の間隔を規定の寸法（例えば、５５ｍｍ以下）とし、その前面ユニットに入賞装置本体１３０を組み付ければ、大入賞装置以外の他の入賞装置（例えば、遊技球が入賞すると単に賞球だけが払い出される一般入賞口や、特別図柄の変動表示が開始される始動入賞装置等）として使用することができる。つまり、入賞装置本体１３０を流用しつつ複数種類の入賞装置を構成することができる。
【図面の簡単な説明】
【００９５】
【図１】本発明の一実施形態に係るパチンコ遊技機の正面図
【図２】パチンコ遊技機の斜視図
【図３】パチンコ遊技機の背面図
【図４】パチンコ遊技機の分解斜視図
【図５】大入賞装置の平面図
【図６】大入賞装置の正面図
【図７】サイド入賞部の部分断面図
【図８】閉塞姿勢における大入賞装置の部分断面図
【図９】開放姿勢における大入賞装置の部分断面図
【図１０】閉塞姿勢における大入賞装置の保護板部材を取り外した状態の部分正面図
【図１１】開放姿勢における大入賞装置の保護板部材を取り外した状態の部分正面図
【図１２】ストッパーが大入賞口の縁部に係止したときの大入賞装置の部分断面図
【図１３】回動扉の回動軌跡を示す図
【図１４】保護板部材の背面斜視図
【図１５】開放姿勢における大入賞装置の部分正面図
【図１６】変形例（２）に係る大入賞装置の部分正面図
【図１７】従来のパチンコ遊技機の部分断面図
【図１８】回動扉とガラス板との間に遊技球が噛み込んだ状態の部分断面図
【符号の説明】
【００９６】
１０    パチンコ遊技機（弾球遊技機）
１１    遊技板
１０３    大入賞口（入賞口）
１１０    保護板部材
１１２    進入防止壁（進入防止部材）
１２０    回動扉
１２０Ｓ    ストッパー部
１２１Ｃ    扉突部
１３４    扉用ソレノイド（作動手段）
１４０    側方壁部
１４５    上方壁部
１５０    ガラス板（クリア部材）
【図１】
2007061249.tif 000003
【図２】
2007061249.tif 000004
【図３】
2007061249.tif 000005
【図４】
2007061249.tif 000006
【図５】
2007061249.tif 000007
【図６】
2007061249.tif 000008
【図７】
2007061249.tif 000009
【図８】
2007061249.tif 000010
【図９】
2007061249.tif 000011
【図１０】
2007061249.tif 000012
【図１１】
2007061249.tif 000013
【図１２】
2007061249.tif 000014
【図１３】
2007061249.tif 000015
【図１４】
2007061249.tif 000016
【図１５】
2007061249.tif 000017
【図１６】
2007061249.tif 000018
【図１７】
2007061249.tif 000019
【図１８】
2007061249.tif 000020